(57)【要約】      （修正有）【課題】日除けに必要な面積の確保と外観の印象の悪化、及び劣化を防止しつつ太陽電池フィルムの設置面積や設置位置の調節を容易にすることができる巻取り式太陽光発電シートを提供する。【解決手段】可撓性の太陽電池フィルム２及び可撓性のダミーシート３と、太陽電池フィルム２及びダミーシート３を内部に封止する可撓性の封止層４、封止層４の両面に設けられた可撓性の保護層５とを備えている。予め求められた必要発電量に応じた面積の太陽電池フィルム２が設けられており、日除けに必要なスクリーンの大きさを確保しつつ、必要発電量と実際の発電量とのバランスをとっている。【選択図】図３
2014053334.tif 000002
【特許請求の範囲】
【請求項１】
可撓性の太陽電池フィルム及び可撓性のダミーシートと、前記太陽電池フィルム及び前記ダミーシートを内部に封止する可撓性の封止層と、前記封止層の両面に設けられた可撓性の保護層とを備えることを特徴とする巻き取り式太陽光発電シート。
【請求項２】
予め求められた必要発電量に応じた面積の前記太陽電池フィルムが設けられていることを特徴とする請求項１記載の巻き取り式太陽光発電シート。
【請求項３】
予め求められた使用時の陰位置には前記ダミーシートが設けられていることを特徴とする請求項１又は２記載の巻き取り式太陽光発電シート。
【請求項４】
封止層の全周縁に亘り前記太陽電池フィルム及び前記ダミーシートが配されない領域が設けられていることを特徴とする請求項１から３のいずれか１つに記載の巻き取り式太陽光発電シート。
【請求項５】
モジュール化されていることを特徴とする請求項１から４のいずれか１つに記載の巻き取り式太陽光発電シート。
【請求項６】
日除け用のスクリーンとして請求項１から５のいずれか１つに記載の巻き取り式太陽光発電シートを備えることを特徴とする巻き取り式日除け装置。
【請求項７】
前記日除け用のスクリーンは前記太陽電池フィルムが設けられた領域の他に前記ダミーシートが設けられた領域を設けることで日除けとして必要な面積が確保されていることを特徴とする請求項６記載の巻き取り式日除け装置。
【発明の詳細な説明】
【技術分野】
【０００１】
本発明は、ローラに巻き取るようにして収容すると共に使用時にローラから引き出して広げる巻き取り式太陽光発電シート、及びこれを日除け用のスクリーンとして使用するロールスクリーン装置やオーニング等の巻き取り式日除け装置に関する。
【背景技術】
【０００２】
巻き取り可能なスクリーンに太陽電池フィルムを設け、使用時にスクリーンと一緒に太陽電池フィルムを広げて日除けをしながら発電を行うようにしたロールスクリーン装置がある（例えば、特許文献１）。このロールスクリーン装置を図２６及び図２７に示す。このロールスクリーン装置では、スクリーン１０１のローラ１０２から引き出される領域の全面に複数の可撓性の太陽電池フィルム１０３が並べて設けられており、不使用時にはスクリーン１０１と一緒に太陽電池フィルム１０３をローラ１０２で巻き取るようにしている。スクリーン１０１の大きさは、主として日除けに必要な大きさに基づいて決定されている。
【先行技術文献】
【特許文献】
【０００３】
【特許文献１】特開平１１−１４５５０３号公報
【発明の概要】
【発明が解決しようとする課題】
【０００４】
しかしながら、上記のロールスクリーン装置では、日除けに必要な大きさのスクリーン１０１のローラ１０２から引き出される領域全体に太陽電池フィルム１０３が設けられているので、太陽電池フィルム１０３による実際の発電量が必要発電量（消費発電量）を大きく上回ることがある。この場合には、使われなかった電力が無駄になるばかりでなく、太陽電池フィルム１０３の設置枚数が多過ぎることになって製造コストが高くなる。
【０００５】
また、ロールスクリーン装置の設置場所等によっては、必ずしも全ての太陽電池フィルム１０３の全面に日光が良好に当たるとは限らず、陰になる部分が生じることがある。太陽電池フィルム１０３に部分的な陰が生じると、その陰部分では発電が行われないことから電気抵抗が大きくなり、この部分に電流が流れることで発熱し、その熱によって太陽電池フィルム１０３、及び太陽電池シートが溶融して損傷する所謂ホットスポット現象が発生する。そのため、太陽電池フィルム１０３には勿論のこと、スクリーン１０１にも大きなダメージを与えることになる。
【０００６】
このように、スクリーン１０１の一部に太陽電池フィルム１０３を設けない領域を設けることも必要であるが、単純に太陽電池フィルム１０３を省略したのでは省略した領域での遮光ができず日陰を作ることができないと共に、太陽電池フィルム１０３を省略した部分が目立ち外観の印象を悪化させてしまう。
【０００７】
なお、遮光のためのシートを準備してこの遮光シートをスクリーンの表面もしくは裏面に貼り付けるように接合する事で遮光することも考えられるが、この場合には接合部が外部に曝露することになる。そのため、接合部に水分が浸入したり紫外線照射を受ける等してスクリーンから遮光シートが剥離してしまう虞があり、太陽光、風雨を浴び続ける過酷な状況での使用が考えられるロールスクリーン装置においては適切な方法とは言えない。また、遮光シートをスクリーンの表面若しくは裏面に接合することによって段差が生じることになり、スクリーンの巻き取り時や引き伸ばし時に応力や摩擦の発生箇所が集中することになる。この点からも、巻き取りと引き伸ばしが繰り返し行われるロールスクリーン装置においては適切な方法とは言えない。
【０００８】
本発明は、日除けに必要な面積の確保と外観の印象の悪化、並びに太陽電池フィルム、ダミーシートを含む太陽電池シートの劣化を防止しつつ太陽電池フィルムの設置面積や設置位置の調節が可能な巻き取り式太陽光発電シート、及びこれを日除け用のスクリーンとして使用した巻き取り式日除け装置を提供することを目的とする。
【課題を解決するための手段】
【０００９】
かかる目的を達成するために、請求項１記載の巻き取り式太陽光発電シートは、可撓性の太陽電池フィルム及び可撓性のダミーシートと、太陽電池フィルム及びダミーシートを内部に封止する可撓性の封止層と、封止層の両面に設けられた可撓性の保護層とを備えるものである。したがって、太陽電池フィルムの一部をダミーシートで置き換えることが可能になる。
【００１０】
また、請求項２記載の巻き取り式太陽光発電シートは、予め求められた必要発電量に応じた面積の太陽電池フィルムが設けられているものである。したがって、必要発電量の発電が行われる。
【００１１】
また、請求項３記載の巻き取り式太陽光発電シートは、予め求められた使用時の陰位置にはダミーシートが設けられているものである。
【００１２】
また、請求項４記載の巻き取り式太陽光発電シートは、封止層の全周縁に亘り太陽電池フィルム及びダミーシートが配されない領域が設けられているものである。
【００１３】
また、請求項５記載の巻き取り式太陽光発電シートは、モジュール化されているものである。
【００１４】
さらに、請求項６記載の巻き取り式日除け装置は、日除け用のスクリーンとして請求項１から３のいずれか１つに記載の巻き取り式太陽光発電シートを備えるものである。
【００１５】
また、請求項７記載の巻き取り式日除け装置は、日除け用のスクリーンが、太陽電池フィルムが設けられた領域の他にダミーシートが設けられた領域を設けることで日除けとして必要な面積を確保されている。
【発明の効果】
【００１６】
請求項１記載の巻き取り式太陽光発電シートでは、太陽電池フィルムの他にダミーシートを備えているので、太陽電池フィルムの一部をダミーシートで置き換えることが可能になり、太陽電池フィルムをダミーシートで置き換えた分だけコストを削減することができる。また、太陽電池フィルム及びダミーシートを封止層内に封止しているので、太陽電池フィルムやダミーシートの接合部が外部に曝露するのを防止でき、ダミーシートを太陽電池フィルム、封止層、保護フィルムから成るシートの表面、裏面などに貼り付けるように接合した場合に比べ、接合部からの水分浸入、紫外線直射、その他外気からの影響を抑えることができ、スクリーンを構成する各層の劣化（剥がれ、変色など）を抑制し、太陽光発電シートの耐久性を向上させることができる。また、ダミーシートを太陽電池フィルム、封止層、保護フィルムから成るシートの表面、裏面などに貼り付けるように接合した場合には、ダミーシートによって段差が生じてしまうが、本発明では太陽電池フィルム等を封止層内に封止することでこのような段差の発生を抑制することができ、応力や摩擦の発生箇所の集中を抑えて太陽光発電シートの耐久性を向上させることができる。さらに、太陽電池フィルムの一部をダミーシートで置き換えることで、太陽電池フィルムを省略した部分を目立たなくすることができる。そのため、外観の印象を悪化させずに太陽電池フィルムの設置面積や設置位置の調節が可能になる。また、ダミーシートによって太陽電池フィルムを省略した部分での遮光が可能になるので、日除けに必要な面積の確保が容易である。
【００１７】
また、請求項２記載の巻き取り式太陽光発電シートでは、予め求められた必要発電量に応じた面積の太陽電池フィルムを設けているので、太陽電池フィルムによる実際の発電量と必要とされる発電量（必要発電量）とを対応させることができる。そのため、実際の発電量と必要発電量とをバランスさせて過剰な発電を防止することができると共に、太陽電池フィルムの設置枚数を必要最小限の適切なものにすることができ、必要発電量を確保しつつ製造コストを低減することができる。
【００１８】
また、請求項３記載の巻き取り式太陽光発電シートでは、予め求められた使用時の陰位置にはダミーシートが設けられているので、使用時に太陽電池フィルムが日陰になるのを防止することができ、ホットスポットの発生を防止して太陽光発電シートの破損を防ぐことができる。
【００１９】
また、請求項４記載の巻き取り式太陽光発電シートでは、封止層の全周縁に亘り太陽電池フィルム及びダミーシートが配されない領域が設けられているので、太陽電池フィルム及びダミーシートが封止層の周縁から曝露するのをより完全に防止することができ、劣化をより確実に防止することができる。
【００２０】
また、請求項５記載の巻き取り式太陽光発電シートはモジュール化されているので、必要に応じて大きさを容易に増減することができ、汎用性を向上させることができる。また、故障などの場合にモジュール単位で簡単に交換することができので、使い勝手を良くすることができる。
【００２１】
さらに、請求項６記載の巻き取り式日除け装置では、日除け用のスクリーンとして請求項１から５のいずれか１つに記載の巻き取り式太陽光発電シートを備えているので、ロールスクリーン装置やオーニング等の日除け装置を使用して太陽光発電を行うことができる。
【００２２】
また、請求項７記載の巻き取り式日除け装置では、太陽電池フィルムが設けられた領域の他にダミーシートが設けられた領域を設けることで日除けとして必要な面積が確保されているので、日除けの面積を確保しながら太陽電池フィルムの面積を必要量に抑えることができ、遮光と発電とのバランスをとるのが容易である。
【図面の簡単な説明】
【００２３】
【図１】本発明の巻き取り式太陽光発電シートの第１の実施形態を示し、広げた状態の正面図である。
【図２】巻き取り式太陽光発電シートを構成するシートモジュールを示し、広げた状態の正面図である。
【図３】図２のIII−III線に沿う断面図である。
【図４】シートモジュールを形成するために太陽電池フィルムに封止層になるシートと保護層になるシートを重ねた様子を示す断面図である。
【図５】本発明の巻き取り式太陽光発電シートの第２の実施形態を示し、広げた状態の正面図である。
【図６】本発明の巻き取り式太陽光発電シートの第３の実施形態を示し、広げた状態の正面図である。
【図７】本発明の巻き取り式太陽光発電シートの第４の実施形態を示し、広げた状態の正面図である。
【図８】本発明の巻き取り式太陽光発電シートの第５の実施形態を示し、広げた状態の正面図である。
【図９】本発明の巻き取り式太陽光発電シートの第６の実施形態を示し、広げた状態の正面図である。
【図１０】本発明の巻き取り式太陽光発電シートの第７の実施形態を示し、広げた状態の正面図である。
【図１１】本発明の巻き取り式太陽光発電シートの第８の実施形態を示し、広げた状態の正面図である。
【図１２】本発明の巻き取り式太陽光発電シートの第９の実施形態を示し、広げた状態の正面図である。
【図１３】本発明の巻き取り式太陽光発電シートの第１０の実施形態を示し、広げた状態の正面図である。
【図１４】本発明の巻き取り式太陽光発電シートの第１１の実施形態を示し、広げた状態の正面図である。
【図１５】本発明の巻き取り式太陽光発電シートの第１２の実施形態を示し、広げた状態の正面図である。
【図１６】図１５のＡ−Ａ線に沿う断面図である。
【図１７】本発明の巻き取り式太陽光発電シートの第１３の実施形態を示し、広げた状態の正面図である。
【図１８】本発明の巻き取り式太陽光発電シートの第１４の実施形態を示し、広げた状態の正面図である。
【図１９】本発明の巻き取り式太陽光発電シートの第１５の実施形態を示し、広げた状態の正面図である。
【図２０】本発明の巻き取り式太陽光発電シートの第１６の実施形態を示し、広げた状態の正面図である。
【図２１】本発明の巻き取り式太陽光発電シートの第１７の実施形態を示し、広げた状態の正面図である。
【図２２】本発明の巻き取り式日除け装置の第１の実施形態を示し、スクリーンを広げた状態の斜視図である。
【図２３】本発明の巻き取り式日除け装置の第２の実施形態を示し、スクリーンを広げた状態の斜視図である。
【図２４】本発明の巻き取り式日除け装置の第３の実施形態を示し、スクリーンを広げた状態の斜視図である。
【図２５】本発明の巻き取り式日除け装置の第４の実施形態を示し、スクリーンを降ろした状態の斜視図である。
【図２６】従来のロールスクリーン装置を示し、スクリーンを降ろした状態の正面図である。
【図２７】従来のロールスクリーン装置を示し、スクリーンを降ろした状態の側面図である。
【発明を実施するための形態】
【００２４】
以下、本発明の構成を図面に示す形態に基づいて詳細に説明する。
【００２５】
図１に、本発明の巻き取り式太陽光発電シートの実施形態の一例を示す。巻き取り式太陽光発電シート（以下、単に太陽光発電シートという）１は、可撓性の太陽電池フィルム２及び可撓性のダミーシート３と、太陽電池フィルム２及びダミーシート３を内部に封止する可撓性の封止層４と、封止層４の両面に設けられた可撓性の保護層５とを備えている。なお、図１等において、封止層４内に封止されている太陽電池フィルム２及びダミーシート３を実線で示して理解を容易にすると共に、これらに異なるハッチングを付して区別している。
【００２６】
太陽光発電シート１は、例えばオーニング、ロールスクリーン装置、ロールカーテン等の日除け装置のスクリーンとして使用されるものであり、ローラ６に巻き取るようにして収容され、使用時にローラ６から引き出されて広げられる。また、引き出し側の辺にはフロントフレーム７が取り付けられている。
【００２７】
なお、太陽光発電シート１の長さ方向は、ローラ６に対して太陽光発電シート１を巻き取る方向及び引き出す方向（図１の上下方向）であり、太陽光発電シート１の幅方向は、ローラ６の軸方向（図１の左右方向）である。
【００２８】
本実施形態の太陽光発電シート１はモジュール化されており、複数のシートモジュール８を幅方向に接続して１枚の大きな太陽光発電シート１を構成している。１枚のシートモジュール８を図２及び図３に示す。２列×２行に並べられた４枚の矩形状の太陽電池フィルム２のローラ６側に２枚の矩形状のダミーシート３が並べられており、更にその両側に長尺の矩形状のダミーシート３が１枚ずつ並べられている。これらの太陽電池フィルム２及びダミーシート３は封止層４内に封止されている。また、封止層４の表裏両面には保護層５が設けられている。
【００２９】
太陽電池フィルム２は可撓性のものであり、例えばアモルファスシリコン型、色素増感型のフィルム型太陽電池の使用が可能であるが、これらには限られない。各太陽電池フィルム２は図示しない配線によって接続され、それらの出力は配線９Ａ，９Ｂを通じて取り出される。なお、出力を２本の配線９Ａ，９Ｂで取り出す場合に限られず、１本にまとめた配線で取り出しても良く、さらに３本以上の配線を使用して取り出すようにしても良い。
【００３０】
ダミーシート３は可撓性を有する布地、シート、フィルム等の部材である。ダミーシート３の素材としては、例えばポリエステル、ポリ塩化ビニル、アクリル、ポリカーボネート等の使用が可能であるが、これらには限られない。例えば、キャンバス地、ガラス繊維強化プラスチックのシート、アルミシート等の使用が可能である。ダミーシート３は太陽電池フィルム２と同程度の厚みを有していることが好ましい。ダミーシート３の厚みと太陽電池フィルム２との厚みを同程度にすることで、封止層４の厚みの部分的な変化をより防止し易くなり、太陽光発電シート１をより均一に巻き取り易くすることができる。ただし、太陽電池フィルム２よりも厚い又は薄いダミーシート３を採用しても良く、これらの場合であっても太陽電池フィルム２及びダミーシート３を封止層４内に封止することで封止層４の厚みの部分的な変化を容易に防止することは可能である。
【００３１】
本実施形態では、ダミーシート３として光を透過させないものを採用しており、日陰を作る面積を増加させている。ただし、ダミーシート３として光を透過させるものを採用しても良い。例えば、ダミーシート３として布地を採用し、織り目の隙間から光を透過させたり、透明又は半透明のフィルムやシートを使用することでダミーシート３を光を透過させるものにしても良い。ダミーシート３として光を透過させるものを使用することで、ダミーシート３の部分からの採光が可能となり、太陽光発電シート１を張った場合の内側空間が真っ暗になるのを防止して薄明かりの雰囲気のある空間にすることができる。
【００３２】
本実施形態では、封止層４をＥＶＡ（エチレン酢酸ビニル共重合樹脂）で形成しているが、必ずしもこれに限られない。
【００３３】
また、本実施形態では、各保護層５をフッ素樹脂（ETFE：テトラフルオロエチレンとエチレン共重合体からなるフッ素樹脂）シートで形成しているが、これに限られず、例えば、ＰＥＴ（ポリエチレンテレフタレート）製のシート、アルミフィルム、ガラス繊維シート等の使用が可能である。また、本実施形態では、両方の保護層５の材料を同じにしているが、相違させても良い。また、本実施形態の各保護層５の外側面は凸凹面になっており、凸凹の大きさや形状を違えることで厚さや材料の相違、太陽光の当たり方の相違等による温度差等による膨張の差を吸収するようにしているが、支障がなければ凸凹の大きさや形状を変えなくても良い。
【００３４】
各保護層５は透明又は半透明であり、光を透過させる。特に、表側の保護層５は光の透過率が良好であり、太陽電池フィルム２により多くの光が当たるようにしている。ただし、裏側の保護層５については光を透過させないものにしても良く、この場合には裏側（光を当てる側の反対側）から太陽電池フィルム２が透けて見えるのを防止することができる。光を透過させない保護層５として、例えば黒色フッ素フィルム等の使用が可能である。
【００３５】
シートモジュール８は、例えば図４に示すように、太陽電池フィルム２とダミーシート３（図４ではダミーシート３の記載を省略）の両面に封止層４になるシート（例えば、ＥＶＡシート）を重ね、更にその両面に保護層５となるシート（例えば、ＥＴＦＥシート）を重ねてラミネート加工される。即ち、太陽電池フィルム２及びダミーシート３の両面に封止層４になるシートと保護層５になるシートを重ねたものを加熱しながら加圧することで、両面の封止層４になるシートが溶融して太陽電池フィルム２及びダミーシート３を内部に包み込んだ１つの封止層４になると共に、両面のＥＴＦＥシートが封止層４の外側面に溶着して保護層５となる。
【００３６】
封止層４は２枚のシートを溶融させて１つの層にしているので、全体的に厚みを揃えることができる（図３）。即ち、太陽電池フィルム２及びダミーシート３（以下、太陽電池フィルム２等という）を単に２枚の封止シートで挟んだ場合には太陽電池フィルム２等の有無によって封止シートの外側に段差が生じてしまうが、本発明では太陽電池フィルム２等を封止層４内に封止することでこのような段差の発生を抑制することができ、応力や摩擦の発生箇所の集中を抑えて太陽光発電シートの耐久性を向上させることができる。
【００３７】
封止層４の周縁には全周に亘り太陽電池フィルム２及びダミーシート３が配されない領域１６が設けられており、太陽電池フィルム２及びダミーシート３の封止をより確実なものにしている。本実施形態では、封止層４の縁から例えば２０mmの幅に亘って領域１６が設けられているが、必ずしも２０mmに限られない。領域１６を封止層４の全周に亘り設けることで、太陽電池フィルム２やダミーシート３の接合部が外部に曝露するのをより確実に防止でき、ダミーシート３を太陽電池フィルム２、封止層４、保護層５から成るシート即ち太陽光発電シート１の表面又は裏面に貼り付けるように接合した場合に比べて、接合部からの水分浸入、紫外線直射、その他外気からの影響をより抑えることができ、太陽電池フィルム２やダミーシート３、封止層４の劣化（剥がれ、変色など）をより抑制し、太陽光発電シート１の耐久性をより向上させることができる。また、ダミーシート３を太陽光発電シート１の表面又は裏面に貼り付けるように接合した場合には、ダミーシート３によって段差が生じてしまうが、本発明の太陽光発電シート１では太陽電池フィルム２及びダミーシート３を封止層４内に封止することでこのような段差の発生を抑制することができ、応力や摩擦の発生箇所の集中を抑えて太陽光発電シート１の耐久性を向上させることができる。
【００３８】
太陽光発電シート１の大きさは、主として日除けに必要な大きさに基づいて決定される。１枚のシートモジュール８では日除けに必要な大きさに足りない場合には、必要枚数のシートモジュール８を接続することで、太陽光発電シート１として必要な大きさが確保される。シートモジュール８の接続は、例えば接着、溶着、ラミネート等によって行われるが、これらに限られない。本実施形態では４枚のシートモジュール８を接続して１枚の大きな太陽光発電シート１を構成しているが、接続する枚数は４枚に限られない。例えば、１枚のシートモジュール８の面積がＡｍ２であり、日除けに必要な面積が５．５×Ａｍ２である場合には、６枚のシートモジュール８を接続することが好ましい。即ち、日除けに必要な面積を確保できる最小枚数のシートモジュール８を接続することが好ましい。
【００３９】
本実施形態では、太陽光発電シート１の使用時に必要な発電量（必要発電量）が予め求められており、この必要発電量に応じた面積の太陽電池フィルム２が設けられている。例えば、１枚の太陽電池フィルム２の面積がＸｍ２であり、必要発電量Ｙの発電に必要な太陽電池フィルム２の面積が１５．５×Ｘｍ２（Ｘは１枚当たりの太陽電池フィルム２の面積）である場合には、１６枚の太陽電池フィルム２（１枚のシートモジュール８当たり４枚の太陽電池フィルム２）を設けることが好ましい。即ち、必要発電量Ｙを確保できる最小枚数の太陽電池フィルム２を設けることが好ましい。実際には、１枚の太陽電池フィルム２当たりの発電量が仕様として決まっているので、Ｙを確保できる最小枚数の太陽電池フィルム２が設けられる。本実施形態では、１枚のシートモジュール８当たり４枚の太陽電池フィルム２が設けられている。
【００４０】
この太陽光発電シート１は、太陽電池フィルム２の他にダミーシート３を備えているので、太陽電池フィルム２の一部をダミーシート３で置き換えることで太陽電池フィルム２を省略した部分を目立たなくすることができる。そのため、太陽光発電シート１の外観の印象を悪化させずに太陽電池フィルムの設置面積や設置位置の調節が可能になる。
【００４１】
また、ダミーシート３によって太陽電池フィルム２を省略した部分での遮光が可能になるので、日除けに必要な面積の確保が容易である。
【００４２】
また、ダミーシート３に着色、模様等のデザインを施すことにより、意匠性を付加することができる。
【００４３】
また、太陽電池フィルム２をダミーシート３で置き換えた分だけ製造コストを安くすることができる。
【００４４】
また、市販の太陽電池フィルム２の大きさ・形状は決まっているため、太陽電池フィルム２を複数枚並べたときの大きさ・形状が必ずしも太陽光発電シート１として必要な大きさ・形状（日除けとして必要な大きさ・形状）に合うとは限らない。本発明の太陽光発電シート１はダミーシート３を備えているので、ダミーシート３の大きさ・形状を調節することで、太陽電池フィルム２とダミーシート３を必要な大きさ・形状に並べて太陽光発電シート１として必要な大きさ・形状に合わせるのが容易である。
【００４５】
また、太陽電池フィルム２及びダミーシート３を封止層４内に封止しているので、太陽電池フィルム２やダミーシート３の端部が外部に曝露するのを防止でき、太陽光発電シート１の耐久性を向上させて製品寿命を延ばすことができる。
【００４６】
また、太陽電池フィルム２による実際の発電量と必要発電量とを対応させることができる。そのため、実際の発電量と必要発電量とをバランスさせて過剰な発電を防止することができると共に、太陽電池フィルム２の設置枚数を必要最小限の適切なものにすることができ、必要発電量を確保しつつ製造コストの増加を抑制することができる。
【００４７】
なお、上述の説明では、太陽光発電シート１を大きくするために同一のシートモジュール８を接続していたが、大きさの異なるシートモジュール８を接続するようにしても良い。また、上述の説明では、複数のシートモジュール８を接続して所定の大きさの太陽光発電シート１を構成していたが、これに限られない。例えば、複数のシートモジュール８を接続するのではなく、予め所定の大きさに形成した太陽光発電シート１を使用しても良い。
【００４８】
また、上述の説明では、同一の太陽電池フィルム２を複数枚設けていたが、異なる大きさや形状の太陽電池フィルム２を複数枚設けても良い。
【００４９】
また、上述の説明では、太陽光発電シート１のほぼ全面に亘って太陽電池フィルム２又はダミーシート３を設けていたが、即ち、太陽電池フィルム２を省略する場合には太陽電池フィルム２の代わりにダミーシート３を設けていたが、ダミーシート３を設けずに太陽電池フィルム２を省略しても良い。即ち、太陽電池フィルム２とダミーシート３の両方がない部分があっても良い。
【００５０】
本発明の太陽光発電シート１では、太陽電池フィルム２及びダミーシート３の配置について様々なバリエーションを設定することができる。例えば、太陽電池フィルム２とダミーシート３の面積の割合を変えることができる。この場合の例を図５〜図８に示す。太陽電池フィルム２とダミーシート３の面積割合を例えば１：１にしても良いし（図５、図６）、１：２にしても良く（図７、図８）、あるいはその他の割合でも良い。また、太陽電池フィルム２とダミーシート３を太陽光発電シート１の長さ方向に並べても良いし（図５、図７）、幅方向に並べても良い（図６、図８）。
【００５１】
また、太陽電池フィルム２とダミーシート３の配置で太陽光発電シート１にデザインを与えることもできる。例えば、太陽光発電シート１とダミーシート３の配置で太陽光発電シート１をストライプ模様にすることができる。例えば、図９、図１０に示すように縦ストライプにすることも、図１１、図１２に示すように横ストライプにすることもできる。これらの場合、太陽電池フィルム２とダミーシート３を交互に配置しても良いし（図９、図１１）、フロントフレーム７側に太陽電池フィルム２を配置すると共にローラ６側にダミーシート３を配置しても良い（図１０、図１２）。さらに、図１３に示すように、太陽電池フィルム２とダミーシート３をレンガ大に形成し、ブリック調の模様を形成しても良い。
【００５２】
また、例えば図１４に示すように、ダミーシート３に符号１７で示す文字、イラスト、ロゴ等を記載して太陽光発電シート１を宣伝・アピール用に使用することも可能である。
【００５３】
また、太陽光発電シート１を用途等に応じて遮光用又は採光用にしても良い。例えば図１５〜図１８に示すように、太陽光発電シート１のほぼ全面に設けられた遮光シート（ダミーシート３）に重ねて太陽電池フィルム２を配置し、太陽電池フィルム２と太陽電池フィルム２との間から光が漏れないようにすることで遮光用にすることができる。この場合、太陽電池フィルム２とダミーシート３との配置を、縦ストライプにしても良いし（図１７）、横ストライプにしても良い（図１８）。
【００５４】
また、例えば図１９、図２０に示すように、封止層４及び保護層５を透明にすると共に、太陽電池フィルム２とダミーシート３との間隔を大きくすることで、太陽電池フィルム２とダミーシート３との間から光が差し込むようにして採光用のものにすることもできる。この場合、太陽電池フィルム２とダミーシート３との配置を、縦ストライプにしても良いし（図１９）、横ストライプにしても良い（図２０）。
【００５５】
また、上述の説明では、太陽電池フィルム２の形状は矩形であったが、必ずしも矩形に限られない。太陽電池フィルム２を、例えば三角形、六角形、五角形等の多角形にしても良く、あるいは円形、楕円形、その他の形状にしても良い。例えば、太陽電池フィルム２を三角形にした例を図２１に示す。この例では、太陽電池フィルム２を二等辺三角形にしており、その両側に直角三角形のダミーシート３を設けている。
【００５６】
次に、巻き取り式日除け装置（以下、単に日除け装置という）について説明する。図２２に、本発明の日除け装置の実施形態の一例を示す。日除け装置１１は、日除け用のスクリーンとして上述の太陽光発電シート１を備えている。
【００５７】
本実施形態では、日除け装置１１としてテラスタイプの巻き取り式オーニングに適用しているが、必ずしもテラスタイプの巻き取り式オーニングに限られない。
【００５８】
日除け装置１１は、例えば建築物の壁面（図示省略）に設置される。設置場所の壁面には、スクリーン１（太陽光発電シート１）を巻き取るローラ６が収容されたケース１２と、スクリーン１の引き出し側辺に取り付けられたフロントフレーム７を支持する一対のアーム１３，１４が固定されている。電動又は手動によってローラ６が開き方向に回転されると、自重によってアーム１３，１４が伸びながらフロントフレーム７が壁面から斜め前方に迫り出してスクリーン１がケース１２から引き出される。即ち、ローラ６に巻き取られてケース１２内に収容されていたスクリーン１が引き出されて広げられ、太陽電池フィルム２による発電が開始される。一方、ローラ６が巻き取り方向に回転されると、スクリーン１がケース１２内のローラ６に巻き取られ、アーム１３，１４が折り畳まれ、フロントフレーム７がケース１２前面に重なるように戻される。即ち、広げられていたスクリーン１が閉じられる。
【００５９】
スクリーン１の大きさは、日除けに必要な大きさに基づいて決定されている。そのため、日除け装置１１として必要な面積の日陰を作ることができる。
【００６０】
即ち、スクリーン１に太陽電池フィルム２が設けられた領域の他にダミーシート３が設けられた領域を設けることで日除けとして必要な面積を確保している。つまり、日除けに必要なスクリーン１の面積は使用条件等に応じて予め決まっているが、必要発電量との関係でスクリーン１の全面に太陽電池フィルム２を設ける必要はない。そこで、太陽電池フィルム２の一部をダミーシート３で置き換えることで、日除けの面積を確保しながら太陽電池フィルムの面積を必要量に抑えることができ、遮光と発電とのバランスをとるのが容易である。
【００６１】
日除け装置１１には、例えば照明（図示省略）が設けられており、太陽電池フィルム２によって発生させた電力によって照明を点灯させる。即ち、太陽光発電が可能な日差しがある場合、スクリーン１を広げて太陽電池フィルム２による発電が開始されると照明が点灯され、スクリーン１を閉じると消灯する。照明の点灯に必要な電力（必要発電量）を予め求めておくことは可能であり、この必要発電量に基づいて太陽電池フィルム２の設置枚数（面積）が決められている。なお、上述の説明では電力の使用用途は照明であったが、照明に限られない。また、照明を設ける代わりにバッテリを設けておき、必要量の電力を蓄えるようにしても良い。あるいは、照明を設けると共にバッテリを設けるようにしても良い。この場合には、バッテリに電力を蓄えておくことで、日除け装置１１の発電タイミングとスクリーン１の開閉タイミングに制約を受けずに発電電力を使用する事が可能となる。
【００６２】
本発明では、予め求めた必要発電量に応じた面積の太陽電池フィルム２を設けているので、太陽電池フィルム２による実際の発電量と必要発電量とを対応させることができる。そのため、実際の発電量と必要発電量とをバランスさせて過剰な発電を防止することができると共に、太陽電池フィルム２の設置枚数を必要最小限の適切なものにすることができ、必要発電量を確保しつつ製造コストの増加を抑制することができる。
【００６３】
なお、上述の形態は本発明の好適な形態の一例ではあるがこれに限定されるものではなく本発明の要旨を逸脱しない範囲において種々変形実施可能である。
【００６４】
例えば、上述の説明では、太陽電池フィルム２及びダミーシート３の設置面積及び設置位置を調節することで、実際の発電量と必要発電量とをバランスさせるようにしていたが、必ずしもこれに限られない。例えば、太陽電池フィルム２及びダミーシート３の設置位置及び設置面積を調節することで、予め求められた使用時の陰位置１５にダミーシート３を設けるようにしても良い。太陽光発電シート１についての例を例えば図１０、図１２に、日除け装置１１についての例を図２３にそれぞれ示す。例えば、広げたスクリーン１のうち、ケース１２側の半分の領域が使用時に陰になる陰位置１５であったとすると、この位置にダミーシート３を設けるようにする。このようにすることで、使用時に太陽電池フィルム２に日陰ができるのを防止することができるので、ホットスポットの発生を防止することができる。
【００６５】
また、上述の説明では、太陽光発電シート１をテラスタイプの日除け装置１１のスクリーンに使用していたが、使用可能な日除け装置１１はテラスタイプのものに限られない。例えば、図２４に示すように、自立タイプのオーニングのスクリーン１として使用しても良いし、図２５に示すようにスクリーンタイプのオーニングのスクリーン１として使用しても良い。また、その他のタイプのオーニングのスクリーンとして使用しても良い。さらに、オーニングに限られず、ロールカーテン等のスクリーンとして使用することも可能である。即ち、ローラ６で巻き取る日除け用のスクリーンを備えており、使用時に日除け用スクリーンをローラ６から引き出すものであれば適用可能である。
【符号の説明】
【００６６】
１  巻き取り式太陽光発電シート（日除け用のスクリーン）
２  太陽電池フィルム
３  ダミーシート
４  封止層
５  保護層
１１  巻き取り式日除け装置
１５  使用時の陰位置
【図１】
2014053334.tif 000003
【図２】
2014053334.tif 000004
【図３】
2014053334.tif 000005
【図４】
2014053334.tif 000006
【図５】
2014053334.tif 000007
【図６】
2014053334.tif 000008
【図７】
2014053334.tif 000009
【図８】
2014053334.tif 000010
【図９】
2014053334.tif 000011
【図１０】
2014053334.tif 000012
【図１１】
2014053334.tif 000013
【図１２】
2014053334.tif 000014
【図１３】
2014053334.tif 000015
【図１４】
2014053334.tif 000016
【図１５】
2014053334.tif 000017
【図１６】
2014053334.tif 000018
【図１７】
2014053334.tif 000019
【図１８】
2014053334.tif 000020
【図１９】
2014053334.tif 000021
【図２０】
2014053334.tif 000022
【図２１】
2014053334.tif 000023
【図２２】
2014053334.tif 000024
【図２３】
2014053334.tif 000025
【図２４】
2014053334.tif 000026
【図２５】
2014053334.tif 000027
【図２６】
2014053334.tif 000028
【図２７】
2014053334.tif 000029